(57)【特許請求の範囲】
【請求項１】
前身頃を有する着物本体と、
前記着物本体に取り付けられた掛衿と、
前記掛衿の両端からそれぞれ伸びて前記着物本体に取り付けられた一対の本衿と、
前記一対の本衿にそれぞれ取り付けられ、前記着物本体の前記前身頃に面する位置で互いに結ばれる一対の第１の紐と、
少なくとも一方の前記本衿と、当該本衿に取り付けられた前記第１の紐とに、両端部がそれぞれ取り付けられ、少なくとも長手方向に弾性を有する少なくとも一つの第２の紐と、
を具備することを特徴とする着物。
【請求項２】
前記第２の紐は、前記第１の紐よりも前記掛衿に近い位置で前記本衿に取り付けられたことを特徴とする請求項１に記載の着物。
【請求項３】
前記第２の紐は、前記本衿に対して斜めに取り付けられたことを特徴とする請求項２に記載の着物。
【請求項４】
固定手段と、
前記着物本体の一部を折り返すとともに当該部分を前記固定手段によって固定することによって形成されたお端折り部と、
をさらに具備することを特徴とする請求項１ないし３のいずれか一つに記載の着物。
【請求項５】
前記お端折り部によって覆われる位置で、前記着物本体の一部を折ることで形成された揚げ部と、
前記揚げ部を固定する除去可能な仮留手段と、
をさらに具備し、
前記仮留手段が除去されると、前記揚げ部を形成する前記着物本体の一部が広がり、前記着物本体の身丈が伸びることを特徴とする請求項４に記載の着物。
【発明の詳細な説明】
【技術分野】
【０００１】
本発明は、胸元の広がりを抑制できる着物に関する。
【背景技術】
【０００２】
一般的に着物や浴衣は、その着付けに知識と大きな手間が必要である。例えば浴衣であっても、着るために数十分を要することがある。また、着用した着物が着崩れてしまった場合、着崩れを直すことは、着物初心者にとって難しいことが多い。このような着付けや着崩れが、着物離れを招く一因となっていると考えられる。
【０００３】
着物離れを解決すべく、例えば特許文献１に開示されているような、容易に着付けが可能な着物や浴衣が開発されている。他に容易に着付けが可能な着物等として、例えば、洋服のように上半身部分と下半身部分とが分かれている着物や、予めお端折りが形成されている着物などが知られている。
【先行技術文献】
【特許文献】
【０００４】
【特許文献１】特開２００８−１５０７３１号公報
【発明の概要】
【発明が解決しようとする課題】
【０００５】
着付けが容易な着物等であっても、着物初心者が気軽に着るためには種々の改良の余地が存在する。例えば、着崩れによって胸元が広がってしまったり、着付けを容易にする紐などが見えてしまったり、お端折りが固定されているためにサイズが合わなかったり、衣文の抜きがきれいにできなかったり、作り帯の見た目が不自然であったり、というような課題が存在する。
【０００６】
上記の課題をはじめとする種々の課題を解決し、容易且つ綺麗に着ることができる着物や浴衣が求められている。
【０００７】
本発明の目的は、胸元の広がりを抑制できる着物を提供することにある。
【課題を解決するための手段】
【０００８】
本発明に係る着物は、着物本体と、掛衿と、一対の本衿と、一対の第１の紐と、少なくとも一つの第２の紐とを備える。前記着物本体は、前身頃を有する。前記掛衿は、前記着物本体に取り付けられる。前記本衿は、前記掛衿の両端からそれぞれ伸びて前記着物本体に取り付けられる。前記第１の紐は、前記一対の本衿にそれぞれ取り付けられ、前記着物本体の前記前身頃に面する位置で互いに結ばれる。前記第２の紐は、少なくとも一方の前記本衿と、当該本衿に取り付けられた前記第１の紐とに、両端部がそれぞれ取り付けられ、少なくとも長手方向に弾性を有する。
【発明の効果】
【０００９】
本発明の着物は、一対の本衿にそれぞれ取り付けられ、着物本体の前身頃に面する位置で互いに結ばれる一対の第１の紐と、少なくとも一方の前記本衿と、当該本衿に取り付けられた前記第１の紐とに、両端部がそれぞれ取り付けられ、少なくとも長手方向に弾性を有する少なくとも一つの第２の紐と、を備える。このため、前記一対の第１の紐が互いに結ばれたとき、前記本衿と前記第１の紐との間で、前記第２の紐が伸ばされる。前記第２の紐は長手方向に弾性を有するため、前記本衿を前記第１の紐に向かって引っ張る。これにより、着物の胸元の広がりを抑制できる。
【００１０】
さらに、本発明の着物において、前記第２の紐は、前記第１の紐よりも前記掛衿に近い位置で前記本衿に取り付けられる。言い換えると、前記第２の紐は、着物の首元と前記第１の紐との間で、前記本衿に取り付けられる。これにより、着物の胸元の広がりを抑制できる。
【００１１】
加えて、本発明の着物において、前記第２の紐は、前記本衿に対して斜めに取り付けられる。これにより、本衿が下方向に引っ張られ、着物の胸元に余計な皺が生じることが抑制できる。
【００１２】
また、本発明の着物は、前記着物本体の一部を折り返すとともに当該部分を固定手段によって固定することによって形成されたお端折り部をさらに備える。固定手段によって固定されたお端折り部を予め形成することで、着物を容易に着用できる。
【００１３】
また、本発明の着物は、前記お端折り部によって覆われる位置で、前記着物本体の一部を折ることで形成された揚げ部と、前記揚げ部を固定する除去可能な仮留手段と、をさらに備える。前記仮留手段が除去されると、前記揚げ部を形成する前記着物本体の一部が広がり、前記着物本体の身丈が伸びる。これにより、前記お端折り部が前記固定手段によって固定されていたとしても、前記着物本体の身丈の長さを調整することができる。
【図面の簡単な説明】
【００１４】
【図１】本発明の一つの実施形態に係る浴衣の正面図。
【図２】浴衣の背面図。
【図３】左の前身頃を肌蹴た浴衣の正面図。
【図４】図１のＦ４−Ｆ４線に沿って浴衣のお端折り部近傍を示す断面図。
【図５】留め糸が抜かれたお端折りの近傍を示す断面図。
【図６】腰紐およびゴム紐が縫い付けられた本衿を拡大して示す正面図。
【図７】着用された浴衣を概略的に示す図。
【図８】浴衣に作り帯が付けられる状態を示した背面図。
【発明を実施するための形態】
【００１５】
以下に、本発明の一つの実施の形態について説明する。図１は、本発明の一つの実施の形態に係る浴衣１０を示す正面図である。図２は、当該浴衣１０を示す背面図である。浴衣１０は、着物の一例である。着物は浴衣１０に限らず、例えば長着や長襦袢のような種々の着物であっても良い。
【００１６】
浴衣１０は、例えばＳサイズ、Ｍサイズ、およびＴサイズの３種類が用意される。浴衣１０は、サイズによって例えば身丈等が異なっている。
【００１７】
図１および図３に示すように、浴衣１０は、浴衣本体１１と、掛衿１２と、一対の本衿１３ａ，１３ｂと、一対の腰紐１４ａ，１４ｂと、一対のゴム紐１５ａ，１５ｂとを備えている。図１では、一方の本衿１３ａ、腰紐１４ａ、およびゴム紐１５ａのみが示される。
【００１８】
浴衣本体１１は、着物本体の一例である。腰紐１４ａ，１４ｂは、第１の紐の一例である。ゴム紐１５ａ，１５ｂは、第２の紐の一例である。掛衿１２は、掛衿とも呼ばれる。また、本衿１３ａ，１３ｂは、地衿とも呼ばれる。
【００１９】
着物本体１１は、図１に示すように、左の前身頃２１と、右の前身頃２２と、左の衽２３と、右の衽２４と、左右の袖２５と、お端折り部２６とを有している。また、着物本体１１は、図２に示す後ろ身頃２７を有している。さらに、左右の脇部分にそれぞれ身八つ口２８が設けられ、左右の袖２５に振八つ口２９が設けられている。
【００２０】
掛衿１２は、浴衣１０の首回りに設けられている。掛衿１２は、浴衣本体１１に縫い付けられ、左の前身頃２１から右の前身頃２２に亘って設けられている。
【００２１】
図２に示すように、掛衿１２の首の後ろの部分（衣文）は、一点鎖線で示す肩山（肩上の折り目）の延長線上よりも下にずれた状態で、浴衣本体１１に縫い付けられている。言い換えると、掛衿１２の首の後ろの部分とお端折り部２６の下端までの長さは、前記肩山とお端折り部２６の下端までの長さよりも短い。
【００２２】
図３は、左の前身頃２１を肌蹴た浴衣１０の正面図である。なお、図１および図２の破線は隠れ線である一方、図３の破線は縫い目を表す。図３に示すように、左の前身頃２１に位置する掛衿１２の先端から、左の本衿１３ａが伸びている。また、右の前身頃２２に位置する掛衿１２の先端から、右の本衿１３ｂが伸びている。本衿１３ａ，１３ｂは、それぞれ浴衣本体１１および掛衿１２に縫い付けられている。
【００２３】
図４は、図１のＦ４−Ｆ４線に沿って、浴衣１０のお端折り部２６近傍を示す断面図である。図４に示すように、お端折り部２６は、左右の本衿１３ａ，１３ｂと、左右の前身頃２１，２２とを折り返して形成されている。なお、図２に示すように、後ろ身頃２７も折り返され、お端折り部２６を形成している。
【００２４】
図４に示すように、浴衣１０の本衿１３ａ，１３ｂおよび前身頃２１，２２が三つ折りにされた部分が、縫い糸３１によって縫い付けられている。すなわち、お端折り部２６は、縫い糸３１によって縫われて形成されている。縫い糸３１は、固定手段の一例である。縫い糸３１は、浴衣本体１１の生地に近い色の糸である。例えば浴衣本体１１の生地の色が黒色であれば、縫い糸３１の色は黒や紺である。なお、お端折り部２６は縫い糸３１に限らず、例えば糊、ホック、面ファスナー、およびスナップボタンのような他の固定手段によって形成されても良い。
【００２５】
図４は、浴衣１０の上から締められる作り帯３３も示す。作り帯３３は、胴回りに巻かれる帯部３４を有している。帯部３４は、縫い糸３１によって形成された縫い目を覆い隠す。言い換えると、縫い糸３１は、帯部３４によって隠れる位置で浴衣１０の本衿１３ａ，１３ｂおよび前身頃２１，２２を縫い付けている。
【００２６】
お端折り部２６によって覆われる位置に、揚げ部３６が設けられている。揚げ部３６は、お端折り部２６によって隠れる浴衣本体１１の一部を、内側につまんだ状態で留め糸３７によって縫い付けられることで形成される。言い換えると、揚げ部３６は、着物本体１１の内側に向かって飛び出すように折られた生地を縫い付けることで形成される。留め糸３７は、仮留手段の一例である。なお、揚げ部３６は図４のように垂直に突き出た状態で保たれることなく、例えば下に向かって垂れ下がる。また、揚げ部３６は留め糸３７に限らず、例えば糊、ホック、面ファスナー、およびスナップボタンのような他の仮留手段によって形成されても良い。
【００２７】
揚げ部３６は、お端折り部２６と同様に、着物本体１１の前から後ろに亘って設けられている。揚げ部３６は、例えば２ｃｍ程度つままれた状態で縫い付けられる。つままれる長さはこれに限らず、目的によって適宜選択される。また、揚げ部３６が複数設けられても良い。
【００２８】
留め糸３７は、浴衣本体１１の生地に対して目立つ色の糸である。例えば浴衣本体１１の生地の色が黒色であれば、縫い糸３１の色は赤や白である。留め糸３７によって形成される縫い目は、縫い糸３１によって形成される縫い目よりも粗い。さらに、留め糸３７は、ある部分を切られると容易に着物本体１１から抜くことができる。
【００２９】
図５は、留め糸３７が抜かれたお端折り部２６の近傍を示す断面図である。図５に示すように、留め糸３７が抜かれると、揚げ部３６を形成していた分の生地が下がり（広がり）、浴衣本体１１の身丈が長くなる。例えば、浴衣本体１１の身丈は４ｃｍ程度長くなる。留め糸３７によって形成された縫い跡は、お端折り部２６によって隠れる。
【００３０】
図６は、腰紐１４ａおよびゴム紐１５ａが縫い付けられた本衿１３ａを拡大して示す正面図である。図６に示すように、左の腰紐１４ａは、左の本衿１３ａの先端に縫い付けられている。本衿１３ａはお端折り部２６を形成するために折り曲げられているため、本衿１３ａの先端は、表に見える本衿１３ａの下端よりも上に位置している。
【００３１】
同様に、右の腰紐１４ｂは、右の本衿１３ｂの先端に縫い付けられている。本衿１３ｂはお端折り部２６を形成するために折り曲げられているため、本衿１３ｂの先端は、表に見える本衿１３ｂの下端よりも上に位置している。
【００３２】
腰紐１４ａ，１４ｂは、浴衣本体１１と同じ生地によって形成されている。このため、腰紐１４ａ，１４ｂは、浴衣本体１１と重ねられた時に目立たない。なお、腰紐１４ａ，１４ｂはこれに限らず、例えば浴衣本体１１の生地の色が黒色であれば、黒色や紺色の生地で形成されても良い。腰紐１４ａ，１４ｂは、胴回りを一周して前身頃２１，２２の周辺まで戻れる長さを有している。
【００３３】
左のゴム紐１５ａの一方の端部は、左の本衿１３ａに縫い付けられている。詳しく説明すると、ゴム紐１５ａの一方の端部は、本衿１３ａに対して斜めになるように配置され、先端が本衿１３ａに挟まれて縫い付けられるとともに、本衿１３ａの縁部にも縫い付けられる。詳しく述べると、ゴム紐１５の一方の端部は、本衿１３ａが伸びる方向に対して傾いた状態で、且つ、腰紐１４ａに向かって伸びるように、本衿１３ａに縫い付けられている。ゴム紐１５ａは、腰紐１４ａよりも掛衿１２に近い位置で本衿１３ａに縫い付けられている。
【００３４】
ゴム紐１５ａの他方の端部は、左の腰紐１４ａに縫い付けられている。すなわち、ゴム紐１５ａは、本衿１３ａと腰紐１４ａとを連結している。ゴム紐１５ａは、腰紐１４ａに対して略直角に縫い付けられている。ゴム紐１５ａは、本衿１３ａと腰紐１４ａとの間で少し弛んでいる。なお、ゴム紐１５ａの取り付け方はこれに限らず、例えば本衿１３ａに取り付けられる角度を保ったまま、弛みなく腰紐１４ａに縫い付けられても良い。
【００３５】
同様に、右のゴム紐１５ｂの一方の端部は、右の本衿１３ｂに縫い付けられている。詳しく説明すると、ゴム紐１５ｂの一方の端部は、本衿１３ｂに対して斜めになるように配置され、先端が本衿１３ｂに挟まれて縫い付けられるとともに、本衿１３ｂの縁部にも縫い付けられる。ゴム紐１５ｂは、腰紐１４ｂよりも掛衿１２に近い位置で本衿１３ｂに縫い付けられている。
【００３６】
ゴム紐１５ｂの他方の端部は、右の腰紐１４ｂに縫い付けられている。すなわち、ゴム紐１５ｂは、本衿１３ｂと腰紐１４ｂとを連結している。ゴム紐１５ｂは、腰紐１４ｂに対して略直角に縫い付けられている。ゴム紐１５ｂは、本衿１３ｂと腰紐１４ｂとの間で少し弛んでいる。
【００３７】
ゴム紐１５ａ，１５ｂは弾性を有しており、引き延ばされると引張力を生じさせる。なお、ゴム紐１５ａ，１５ｂは、少なくとも長手方向に弾性を有する他の紐であっても良い。ゴム紐１５ａ，１５ｂは、例えば浴衣本体１１の生地の色が黒色であれば、黒色や紺色の生地で形成される。
【００３８】
ここで、図１および図６を参照して、サイズごと浴衣１０の寸法について例示する。図１に示す前記肩山から浴衣本体１１の下端までの長さ（身丈）は、Ｓサイズのとき１２７ｃｍ、Ｍサイズのとき１３５ｃｍ、Ｔサイズのとき１４２ｃｍである。掛衿１２の中心から掛衿１２の先端までの長さは、Ｓ〜Ｔサイズのいずれのときも４５ｃｍである。
【００３９】
前記肩山からお端折り部２６の下端までの長さは、Ｓサイズのとき５０ｃｍ、Ｍサイズのとき５２ｃｍ、Ｔサイズのとき５４ｃｍである。お端折り部２６の上端から下端までの長さは、Ｓ〜Ｔサイズのいずれのときも１２ｃｍである。
【００４０】
図６に示すように、掛衿１２の先端からゴム紐１５ａ，１５ｂまでの長さＬ１は、Ｓ〜Ｔサイズいずれのときも６ｃｍである。本衿１３ａ，１３ｂの縁から腰紐１４ａ，１４ｂに取り付けられたゴム紐１５ａ，１５ｂまでの長さＬ２は、Ｓ〜Ｔサイズいずれのときも２ｃｍである。ゴム紐１５ａ，１５ｂの長さＬ３は、Ｓサイズのとき１３ｃｍ、Ｍサイズのとき１４ｃｍ、Ｔサイズのとき１５ｃｍである。
【００４１】
以上のような浴衣１０は、例えば次のように着用される。まず、浴衣本体１１の背縫い（背の中心の縫い目）を中心に、前記肩山を肩に合わせて浴衣１０を羽織る。右の腰紐１４ｂを背中に回し、右の身八つ口２８から外に出す。
【００４２】
次に、浴衣本体１１の右前を合わせ、外に出た右の腰紐１４ｂを引く。当該右前の位置がずれないように押さえながら、左前を重ねる。そして、左の腰紐１４ａを後ろから前へ一周させる。これにより、身八つ口２８から出た右の腰紐１４ｂと、左の腰紐１４ａとが、着物本体１１の前身頃２１，２２の周辺に来る。
【００４３】
図７は、着用された浴衣１０を概略的に示す図である。図７において、右の腰紐１４ｂは一部が省略されている。図７に示すように、前身頃２１，２２に面する位置（着用者の腹部周辺）で、腰紐１４ａ，１４ｂを互いに結ぶ。これにより、浴衣１０が着用される。
【００４４】
浴衣１０が着用されると、ゴム紐１５ａ，１５ｂは、着用者の胸元から脇腹に沿って伸ばされる。このため、図７に矢印で示すように、本衿１３ａ，１３ｂは、ゴム紐１５ａ，１５ｂによって脇腹の方に向かって引っ張られる。すなわち、ゴム紐１５ａ，１５ｂは、本衿１３ａ，１３ｂが寛げられないように引っ張る。
【００４５】
図８は、浴衣１０に作り帯３３が付けられる状態を示した背面図である。図８に示すように、着用された浴衣１０の胴回りに、作り帯３３の帯部３４が巻かれる。帯部３４の両端に紐が設けられている。当該紐を結んで巻かれた帯部３４の中に隠すことで、帯部３４が締められる。
【００４６】
帯部３４の先端は、斜めにカットされている。詳しく述べると、帯部３４の下縁の長さが上縁の長さよりも短くなるように、帯部３４の先端が斜めに形成されている。このような帯部３４の先端は、浴衣本体１１の背縫い近辺に配置される。
【００４７】
作り帯３３は、帯リボン３９をさらに有している。帯リボン３９は、帯部３４と同じ生地によって形成され、例えば文庫結びを形成するように、職人によって手作業で結ばれている。帯リボン３９の内部に、帯リボン３９の型崩れを防止するワイヤが設けられている。
【００４８】
当該ワイヤは可撓性と形状保持性を有している。このため、例えば帯リボン３９の端の部分を少し曲げたい場合などに、着用者は前記ワイヤごと帯リボン３９の曲げたい部分を曲げる。曲げられた前記ワイヤは、帯リボン３９の当該部分を曲げられた状態に保つ。すなわち、ワイヤが設けられることで、帯リボン３９は好きな形状に変形し、その状態を保つことができる。
【００４９】
帯リボン３９は、取付金具４１を有している。取付金具４１は、締められた帯部３４に差し込まれる。帯リボン３９に紐が設けられており、当該紐を結んで巻かれた帯部３４の中に隠すことで、帯リボン３９が取り付けられる。
【００５０】
前記構成の浴衣１０によれば、ゴム紐１５ａ，１５ｂの両端部が、左右の本衿１３ａ，１３ｂと、当該本衿１３ａ，１３ｂに取り付けられた腰紐１４ａ，１４ｂとに取り付けられている。図７に示すように、浴衣１０が着用されると、腰紐１４ａ，１４ｂに縫い付けられたゴム紐１５ａ，１５ｂの端部は、脇腹または背中側に位置する。このため、弾性を有するゴム紐１５ａ，１５ｂは、着用者の胸元から脇腹に沿って伸ばされ、本衿１３ａ，１３ｂを脇腹の方に向かって引っ張る。言い換えると、ゴム紐１５ａ，１５ｂが本衿１３ａ，１３ｂと腰紐１４ａ，１４ｂとの間で伸ばされることで、本衿１３ａ，１３ｂを腰紐１４ａ，１４ｂに向かって引っ張る。
【００５１】
一般的に、浴衣のような着物を着ていると、着用者の動きによって、次第に胸元が広がってしまうおそれがある。一般的な着物の場合、着用者が本衿等を手で引っ張ってこのような胸元の広がりを直す。しかし、本衿等を引っ張ると、余計な皺などが生じてしまうおそれがある。
【００５２】
翻って浴衣１０では、ゴム紐１５ａ，１５ｂが、本衿１３ａ，１３ｂが寛げられないように、ほぼ常に引っ張っている。これにより、浴衣１０の胸元の広がりを抑制でき、ひいては浴衣１０の着崩れを抑制できる。
【００５３】
また、ゴム紐１５ａ，１５ｂは、腰紐１４ａ，１４ｂよりも掛衿１２に近い位置で本衿１３ａ，１３ｂに縫い付けられている。すなわち、ゴム紐１５ａ，１５ｂは、首元と腰紐１４ａ，１４ｂとの間で本衿１３ａ，１３ｂに取り付けられる。
【００５４】
一般的な腰紐付の浴衣等を着用する場合、腰紐をきつく結んだとしても、腰紐と首元との間（胸元）は何ら固定等されていない。このため、腰紐の締め付けの強さにかかわらず、胸元が広がる可能性が残る。
【００５５】
これに対し浴衣１０では、ゴム紐１５ａ，１５ｂが腰紐１４ａ，１４ｂと首元との間において本衿１３ａ，１３ｂに取り付けられる。これにより、浴衣１０の胸元の広がりを抑制できる。
【００５６】
ゴム紐１５ａ，１５ｂは、掛衿１２ではなく本衿１３ａ，１３ｂに取り付けられる。このため、ゴム紐１５ａ，１５ｂは、作り帯３３の帯部３４によって隠れやすくなる。したがって、浴衣１０の胸元の広がりを抑制でき、且つ、浴衣１０の見た目が損なわれない。
【００５７】
さらに、図３に示すように、ゴム紐１５ａ，１５ｂは、本衿１３ａ，１３ｂに対して斜めに取り付けられる。これにより、本衿１３ａ，１３ｂが下方向に引っ張られ、胸元に余計な皺が生じることが抑制でき、浴衣１０の見た目が良くなる。
【００５８】
加えて、浴衣１０は、縫い糸３１によって縫われたお端折り部２６を備える。縫い糸３１によってお端折り部２６を予め形成することで、着物初心者であっても浴衣１０を容易に着用することができる。
【００５９】
腰紐１４ａ，１４ｂは、浴衣本体１１と同じ生地によって形成される。これにより、腰紐１４ａ，１４ｂが作り帯３３の帯部３４からはみ出たとしても、腰紐１４ａ，１４ｂが目立たなくなる。したがって、浴衣１０の見た目が良くなる。
【００６０】
図４に示すように、お端折り部２６によって覆われる位置に、揚げ部３６が設けられている。揚げ部３６を縫い付ける留め糸３７を抜くことで、揚げ部３６を形成していた分の生地が下がり浴衣本体１１の身丈が長くなる。これにより、お端折り部２６が形成されていたとしても、浴衣本体１１の身丈の長さを調整することができる。
【００６１】
例えば、Ｓサイズの浴衣１０では小さいが、Ｍサイズの浴衣１０では大きいという着用者の場合、留め糸３７を抜いて着物本体１１の身丈を長くする。これにより、着用者は自分に合った身丈の浴衣１０を着用することができる。
【００６２】
揚げ部３６を縫い付ける留め糸３７は、浴衣本体１１の生地に対して目立つ色の糸であり、識別しやすい。留め糸３７によって形成される縫い目は、縫い糸３１によって形成される縫い目よりも粗い。さらに、留め糸３７は、ある部分を切られると容易に着物本体１１から抜くことができる。これにより、容易に留め糸３７を抜いて、浴衣本体１１の身丈の長さを調整することができる。
【００６３】
図２に示すように、掛衿１２の首の後ろの部分は、前記肩山の延長線上よりも下にずれた状態で、浴衣本体１１に縫い付けられている。このため、浴衣１０を着用したときに、衣文の抜きを綺麗に作ることができる。
【００６４】
帯部３４の先端は、斜めにカットされている。これにより、締めた帯部３４に帯リボン３９を差し込んだときに、きちんと帯を折って文庫結び等を作ったように見える。すなわち、作り帯３３を自然の結びに見せることができる。
【００６５】
以上説明した浴衣１０は、本発明の着物の一例である。すなわち、本発明の着物の各要素やその特徴が、上記の浴衣１０に限定されるものではない。例えば、ゴム紐１５ａ，１５ｂは、縫い付けられるものに限らず、例えばホックや面ファスナーによって本衿１３ａ，１３ｂおよび腰紐１４ａ，１４ｂに取り付けられても良い。
【符号の説明】
【００６６】
１０…浴衣（着物）、１１…浴衣本体（着物本体）、１２…掛衿、１３ａ，１３ｂ…本衿、１４ａ，１４ｂ…腰紐（第１の紐）、１５ａ，１５ｂ…ゴム紐（第２の紐）、２１…左の前身頃、２２…右の前身頃、２６…お端折り部、３１…縫い糸（固定手段）、３６…揚げ部、３７…留め糸（仮留手段）。
【図１】
0005380577.tif 000002
【図２】
0005380577.tif 000003
【図３】
0005380577.tif 000004
【図４】
0005380577.tif 000005
【図５】
0005380577.tif 000006
【図６】
0005380577.tif 000007
【図７】
0005380577.tif 000008
【図８】
0005380577.tif 000009